(57)【要約】      （修正有）【課題】、構造が簡単で、橋軸方向及び橋軸直角方向の相対変位にも対応可能で設置が容易な低コストの橋梁用全方向伸縮継手を提供する。【解決手段】橋軸方向に一定間隔をあけて設置され、相対的に変位する橋梁の一方の構造部と他方の構造と、一方の構造部に配置される複数の櫛歯を有する第１櫛形部材７と、他方の構造部に配置され櫛歯を有する第２櫛形部材１１と、を備え、前記第１櫛形部材を一方の構造部に固定し、前記第２櫛形部材を他方の構造部に橋軸直角方向にスライド可能に配置し、一方の構造部と他方の構造部の橋軸方向及び橋軸直角方向の相対変位に対して追随可能にすることを特徴とする。【選択図】図１
2018119287.tif 000002
【特許請求の範囲】
【請求項１】
橋軸方向に一定間隔あけて設置され相対的に変位する橋梁の一方構造部と他方の構造と、
一方の構造部に配置される複数の櫛歯を有する第１櫛形部材と、
他方の構造部に配置され複数の櫛歯を有する前記第２櫛形部材と、
を備え、
前記第１櫛形部材を一方の構造部に固定し、前記第２櫛形部材を他方の構造部に橋軸直角方向にスライド可能に配置し、一方の構造部と他方の構造部の橋軸方向及び橋軸直角方向の相対変位に対して追随可能にすることを特徴とする橋梁用全方向伸縮継手。
【請求項２】
第１櫛形部材の基部と先端部を構造物に固定ボルトで固定し、先端部の底面と構造部表面との間に一定の間隙を形成するように固定し、第２櫛形部材の両側面に前記間隙に入り込む厚みの水平フランジ部を形成することを特徴とする請求項１に記載の橋梁用全方向伸縮継手。
【請求項３】
第２櫛形部材のスライドする部分と接して支持する構造部に低摩擦材を配置することを特徴とする請求項１又は２に記載の橋梁用全方向伸縮継手。
【請求項４】
第２櫛形部材と他方の構造部のいずれかに橋軸直角方向に伸びる蟻溝を形成し他方に前記蟻溝に係合する突起を形成し、第２櫛形部材と他方の構造部を抜け止めして橋軸直角方向にスライド可能にすることを特徴とする請求項１ないし３のいずれか１項に記載の橋梁用全方向伸縮継手。
【請求項５】
第２櫛型部材が橋軸直角方向にスライド可能な他方の構造部が弾性支承又は可動支承により支持されることを特徴とする請求項１ないし４のいずれか１項に記載の橋梁用全方向伸縮継手。
【請求項６】
構造部に固定される第１櫛形部材の２ケ所の固定部が上部が截頭円錐形状の凹部を形成した固定ボルト挿入孔を有し、固定ボルトで固定後の截頭円錐形状の凹部に圧入される截頭円錐形状のシールゴムを備えることを特徴とする請求項１ないし５のいずれか１項に記載の橋梁用全方向伸縮継手。
【請求項７】
第１櫛形部材と第２櫛形部材が単位部材として形成し、単位部材を複数連結して第１櫛形部材と第２櫛形部材が形成されることを特徴とする請求項１ないし６のいずれか１項に記載の橋梁用全方向伸縮継手。
【発明の詳細な説明】
【技術分野】
【０００１】
本発明は、橋梁の上部構造間の継目や橋梁のアバットと主桁等の上部構造間の継目に配置される橋梁用全方向伸縮継手に関する。
【背景技術】
【０００２】
橋梁の上部構造間の継目や橋梁のアバットと主桁等の上部構造間の継目に配置される伸縮継手として、橋軸方向へ相対的にスライド可能に相互に組み合わされる一対の櫛形部材を用いる櫛型伸縮継手がある。
【先行技術文献】
【特許文献】
【０００３】
【特許文献１】特開２００７−２７０５７０号公報
【発明の概要】
【発明が解決しようとする課題】
【０００４】
従来の橋梁用の櫛型伸縮継手は、橋軸方向の相対変位にのみ追随するように設計されており、橋軸直角方向の変位に対しては追随しない。しかしながら、継目を介して対峙する一方の構造部と他方の構造の相対変位は橋軸方向に限定されるものではなく橋軸直角方向にも相対変位する。従来の橋梁用伸縮継手においては、橋軸直角方向への変位に対応できないため、橋軸直角方向の変位により櫛型伸縮継手に大きな負荷が作用し、橋軸方向への変位に対してもスムーズに追随しなくなるという問題を有していた。
【０００５】
本発明は、前記従来技術の持つ問題点を解決する、構造が簡単で、橋軸方向及び橋軸直角方向の相対変位にも対応可能で設置が容易な低コストの橋梁用全方向伸縮継手を提供することを目的とする。
【課題を解決するための手段】
【０００６】
本発明の橋梁用全方向伸縮継手は、前記課題を解決するために、橋軸方向に一定間隔あけて設置され相対的に変位する橋梁の一方構造部と他方の構造と、一方の構造部に配置される複数の櫛歯を有する第１櫛形部材と、他方の構造部に配置され複数の櫛歯を有する前記第２櫛形部材と、を備え、前記第１櫛形部材を一方の構造部に固定し、前記第２櫛形部材を他方の構造部に橋軸直角方向にスライド可能に配置し、一方の構造部と他方の構造部の橋軸方向及び橋軸直角方向の相対変位に対して追随可能にすることを特徴とする。
【０００７】
また、本発明の橋梁用全方向伸縮継手は、第１櫛形部材の基部と先端部を構造物に固定ボルトで固定し、先端部の底面と構造部表面との間に一定の間隙を形成するように固定し、第２櫛形部材の両側面に前記間隙に入り込む厚みの水平フランジ部を形成することを特徴とする
【０００８】
また、本発明の橋梁用全方向伸縮継手は、第２櫛形部材のスライドする部分と接して支持する構造部に低摩擦材を配置することを特徴とする。
【０００９】
また、本発明の橋梁用全方向伸縮継手は、第２櫛形部材と他方の構造部のいずれかに橋軸直角方向に伸びる蟻溝を形成し他方に前記蟻溝に係合する突起を形成し、第２櫛形部材と他方の構造部を抜け止めして橋軸直角方向にスライド可能にすることを特徴とする。
【００１０】
また、本発明の橋梁用全方向伸縮継手は、第２櫛型部材が橋軸直角方向にスライド可能な他方の構造部を弾性支承又は可動支承により支持することを特徴とする。
【００１１】
また、本発明の橋梁用全方向伸縮継手は、構造部に固定される第１櫛形部材の２ケ所の固定部が上部が截頭円錐形状の凹部を形成した固定ボルト挿入孔を有し、固定ボルトで固定後の截頭円錐形状の凹部に圧入される截頭円錐形状のシールゴムを備えることを特徴とする。
【００１２】
また、本発明の橋梁用全方向伸縮継手は、第１櫛形部材と第２櫛形部材が単位部材として形成し、単位部材を複数連結して第１櫛形部材と第２櫛形部材が形成されることを特徴とする。
【発明の効果】
【００１３】
橋軸方向に一定間隔あけて設置され相対的に変位する橋梁の一方構造部と他方の構造と、一方の構造部に配置される複数の櫛歯を有する第１櫛形部材と、他方の構造部に配置され櫛歯を有する前記第２櫛形部材と、を備え、前記第１櫛形部材を一方の構造部に固定し、前記第２櫛形部材を他方の構造部に橋軸直角方向にスライド可能に配置し、一方の構造部と他方の構造部の橋軸方向及び橋軸直角方向の相対変位に対して追随可能にすることで、簡単な構造で設置が容易で、一方の構造部と他方の構造部の橋軸方向及び橋軸直角方向の相対変位に対応可能な橋梁用全方向伸縮継手を提供することが可能となる。
第１櫛形部材の基部と先端部を構造物に固定ボルトで固定し、先端部の底面と構造部表面との間に一定の間隙を形成するように固定し、第２櫛形部材の両側面に前記間隙に入り込む厚みの水平フランジ部を形成することで、第１櫛形部材の浮き上がりを防止することが可能となる。
第２櫛形部材のスライドする部分と接して支持する構造部に低摩擦材を配置することで、第１櫛形部材と第２櫛形部材の端部が支持され片持ち梁状の支持状態が改善されると共に、第１櫛形部材と第２櫛形部材のスライドをスムーズに実施することが可能となる。
第２櫛形部材と他方の構造部のいずれかに橋軸直角方向に伸びる蟻溝を形成し他方に前記蟻溝に係合する突起を形成し、第２櫛形部材と他方の構造部を抜け止めして橋軸直角方向にスライド可能にすることで、第２櫛形部材を橋軸直角方向にスライド可能とし抜け止めされているので固定手段を省略することが可能となる。
第２櫛型部材が橋軸直角方向にスライド可能な他方の構造部を弾性支承又は可動支承により支持することで、第２櫛形部材の橋軸方向及び橋軸直角方向のスライドをスムーズに実施することが可能になる。
構造部に固定される第１櫛形部材の２ケ所の固定部が上部が截頭円錐形状の凹部を形成した固定ボルト挿入孔を有し、固定ボルトで固定後の截頭円錐形状の凹部に圧入される截頭円錐形状のシールゴムを備えることで、第１櫛形部材の浮き上がりを防止可能とし、固定ボルト挿入孔からの砂塵の浸入を防止することが可能となる。
第１櫛形部材と第２櫛形部材が単位部材として形成し、単位部材を複数連結して第１櫛形部材と第２櫛形部材が形成されることで、第１、第２櫛形部材の製造が容易となり、設置個所の変化にも対応可能になる。
【図面の簡単な説明】
【００１４】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【図８】本発明の実施形態を示す図である。
【図９】本発明の実施形態を示す図である。
【発明を実施するための形態】
【００１５】
本発明の実施形態を図により説明する。図１は、本発明の橋梁用全方向伸縮継手の一実施形態の上面図であり、図２は縦断面図である。
【００１６】
図１、図２に示される実施形態では、橋梁用全方向伸縮継手１を一方の構造部としての橋台２と他方の構造部として上部構造３との継目に配置したものを示すが、一方の構造部と他方の構造部と隣合う上部構造同士の継目にも適用可能であることは言うまでもないことである。
【００１７】
橋台２には、第１櫛形部材支持部４、中間支持部５及び上部構造支持部６が形成される。第１櫛形部材７には、所定間隔を開けて橋軸方向（以下、「Ｘ方向」という。）に伸びる複数の櫛歯７ａが形成される。第１櫛形部材支持部４に、第１櫛形部材７の各櫛歯７ａ毎に基部と先端部の２ケ所固定ボルト８で固定する。第１櫛形部材７の浮き上がり防止のためである。第１櫛形部材７の先端部を中間支持部５に固定ボルト８で固定する際、第１櫛形部材７の底面と中間支持部５の表面の間に一定の間隙が形成されるように固定する。
【００１８】
上部構造支持部６には、弾性支承又は可動支承９を介して主桁等の上部構造３が支持される。上部構造３の端部に第２櫛形部材支持部３ａが形成される。第２櫛形部材支持部３ａには、橋軸直角方向（以下、「Ｙ方向」という。）に伸びるガイドレール１０が固定される。ガイドレール１０の両端にはストッパー１０ａを取り付ける。
【００１９】
第２櫛形部材支持部３ａに固定されたガイドレール１０に、第２櫛形部材１１の端部に形成したＹ方向に伸びる蟻溝１１ａが係合する。ガイドレール１０は、第２櫛形部材１１に形成した蟻溝１１ａと係合し、第２櫛形部材１１をＹ方向にスライド可能にすると共に、上下方向の抜け止めとしての機能を備えている。第２櫛形部材１１のＹ方向のスライドはガイドレール１０のストッパー１０ａにより制限される。
【００２０】
第２櫛形部材１１には、所定間隔を開けてＸ方向に伸びる複数の櫛歯１１ｂが形成される。櫛歯１１ｂの両側面の底部に水平に伸びるフランジ部１１ｃが形成される。フランジ部１１ｃの厚みは、第１櫛形部材７の先端部底面と中間支持部５間の間隙とほぼ同じとし、第１櫛形部材７の櫛歯７ａと第２櫛形部材１１の櫛歯１１ｂは互いに交差するようにＸ方向にスライド可能に配置される際、櫛歯１１ｂのフランジ部１１ｃが櫛歯７ａの下に入る込みスライドを確実にする。
【００２１】
第２櫛形部材１１が、弾性支承又は可動支承９を介して支持される上部構造３に配置されるので、Ｘ方向及びＹ方向のスライドが弾性支承９の弾性変形によりスムーズに実施可能となる。
【００２２】
第２櫛形部材１１の櫛歯１１ｂのスライド部分の下部は、橋台２に形成した中間支持部５に支持される。中間支持部５の上端にはテトラフルオロエチレン等の低摩擦材１２が配置される。第２櫛形部材１１は、片持ち梁状に支持されているので、櫛歯１１ｂが櫛歯７ａの下に入り込むので安定してＸ方向にスライドする。さらに、中間支持部６の上端に低摩擦材１２が設置されるので、Ｘ方向のスライドがスムーズに実施することができる。
【００２３】
橋台２と第１櫛形部材７の端部接合面に止水パッキン１３を配置する。中間支持部５の側面と上部構造３の側面に止水ゴム１４を張設して雨水等の下部への落下を防止する。
【００２４】
図３、図４は、本発明の橋梁用全方向伸縮継手の他の実施形態の上面図と縦断面図である。この実施形態では、第２櫛形部材１１の端部に形成されるＹ方向に伸びる蟻溝１１ａを図１、図２に示される実施形態の蟻溝１１ａの向きを９０度変えて形成し、この蟻溝１１ａに抜け止めされて係合するガイドレール１０を第２櫛形部材支持部３ａと直交する上部構造３の側面に固定する。他の構成は、図１、図２に示される実施形態と同様であるので説明を省略する。
【００２５】
図５は、第１櫛形部材用単位部材１５を示す図であり、図６は、第２櫛形部材用単位部材１６を示す図である。第１櫛形部材用単位部材１５には、連結ボルト用孔１５ａと固定ボルト用孔１５ｂが２つ形成される。固定ボルト用孔１５ｂの上部には截頭円錐形状の凹部が形成される。図７に示されるように、固定ボルト用孔１５ｂに固定ボルト８を挿入し固定した後、截頭円錐形状の凹部に截頭円錐形状のシールゴム１７を圧入治具を用いて圧入する。固定ボルト用孔１５ｂに砂塵が浸入するのを防止するためである。
【００２６】
第２櫛形部材用単位部材１６には、連結ボルト用孔１６ａとガイドレール用蟻溝１６ｂが形成される。図３、図４に示される実施形態の場合、蟻溝１６ｂの向きを９０度変えた形状にする。第２櫛形部材単位部材１６の櫛歯の両側面には水平に伸びるフランジ部１６ｃが形成される。
【００２７】
図８、図９は、第１櫛形部材用単位部材１５と第２櫛形単位部材１６を複数連結ボルト１８で連結して第１櫛形部材７と第２櫛形部材１１を形成した状態を示す図である。第１櫛形部材７と第２櫛形部材を単位部材を複数連結して形成することにより、設置個所の状況に応じて対応することが可能となる。
【００２８】
以上のように、本発明の橋梁用全方向伸縮継手によれば、簡単な構造で設置が容易で、一方の構造部と他方の構造部の橋軸方向及び橋軸直角方向の相対変位に対応可能な橋梁用全方向伸縮継手を提供することが可能となる。
【符号の説明】
【００２９】
１：橋梁用全方向伸縮継手、２：橋台、３：上部構造、３ａ：第２櫛形部材支持部、４：第１櫛形部材支持部、５：中間支持部、６：上部構造支持部，７：第１櫛形部材、７ａ：櫛歯、８：固定ボルト、９：弾性支承又は可動支承、１０：ガイドレール、１０ａ：ストッパー、１１：第２櫛形部材、１１ａ：蟻溝、１１ｂ：櫛歯、１１ｃ：フランジ部、１２：低摩擦材、１３：止水パッキン、１４：止水ゴム、１５：第１櫛形部材用単位部材、１５ａ：連結ボルト用孔、１５ｂ：固定ボルト用孔、１６：第２櫛形部材用単位部材、１６ａ：連結ボルト用孔、１６ｂ：ガイドレール用蟻溝、１６ｃ：フランジ部、１７：截頭円錐形状のシールゴム、１８：連結ボルト
【図１】
2018119287.tif 000003
【図２】
2018119287.tif 000004
【図３】
2018119287.tif 000005
【図４】
2018119287.tif 000006
【図５】
2018119287.tif 000007
【図６】
2018119287.tif 000008
【図７】
2018119287.tif 000009
【図８】
2018119287.tif 000010
【図９】
2018119287.tif 000011